(57)【特許請求の範囲】
【請求項１】
キーボードのタイピング練習に使用するタイピング練習装置であって、
提供する問題を記憶する問題記憶手段に記憶されている問題から所定の問題を提供し、文字や数字などを入力するキーボードから入力された文字と前記所定の問題の解答を比較し、前記キーボードから入力された文字が正解かどうかを判断する問題提供処理手段、を備え、
前記問題提供処理手段が、提供される所定の問題及び前記問題提供処理手段の判断結果を表示するための表示手段に表示される内容を制御し、
前記問題提供処理手段が、ユーザによる選択操作に応じて、提供した前記所定の問題に対応するキーボードから入力されるべき文字が表示された画面を前記表示手段に表示するか、提供した前記所定の問題に対応するキーボードから入力されるべき文字が表示されない画面を前記表示手段に表示するか、を制御し、
前記問題提供処理手段が、提供した前記所定の問題に対応するキーボードから入力されるべき文字が表示された画面が前記表示手段に表示されている際には、ユーザによるキーボード入力に応じて、当該入力に対応する文字の表示が順次消えるよう前記画面を更新して、提供した前記所定の問題に対応するキーボードから入力されるべき文字が表示されない画面が前記表示手段に表示されている際には、ユーザによるキーボード入力に応じて、当該入力に対応する文字が順次表示されるよう前記画面を更新する、
ことを特徴とする学習機能付きタイピング練習装置。
【請求項２】
さらに、前記問題提供処理手段から提供される前記所定の問題を、音声によって出力する音声出力手段を備える、ことを特徴とする請求項１記載の学習機能付きタイピング練習装置。
【請求項３】
前記問題提供処理手段は、提供される前記所定の問題を、前記表示手段で表示しないように前記表示手段を制御し、且つ、前記音声出力手段から音声によって出力するように前記音声出力手段を制御する、ことを特徴とする請求項２記載の学習機能付きタイピング練習装置。
【請求項４】
さらに、前記問題提供処理手段の判断結果を提供した前記所定の問題と関連付けて履歴情報として記憶する履歴情報記憶手段を備えることを特徴とする請求項１乃至３のいずれか一項に記載の学習機能付きタイピング練習装置。
【請求項５】
さらに、提供する問題を記憶する問題記憶手段を備えることを特徴とする請求項１乃至４のいずれか一項に記載の学習機能付きタイピング練習装置。
【請求項６】
さらに、文字や数字などを入力するキーボードを備えることを特徴とする請求項１乃至５のいずれか一項に記載の学習機能付きタイピング練習装置。
【請求項７】
さらに、提供される所定の問題及び前記問題提供処理手段の判断結果を表示するための表示手段を備えることを特徴とする請求項１乃至６のいずれか一項に記載の学習機能付きタイピング練習装置。
【請求項８】
出題された問題に回答することによって、キーボードのタイピング練習を行うタイピング練習方法であって、
提供する問題を記憶する問題記憶手段に記憶されている問題から所定の問題を提供し、文字や数字などを入力するキーボードから入力された文字と前記所定の問題の解答を比較し、前記キーボードから入力された文字が正解かどうかを判断する問題提供処理手段が、提供される所定の問題及び前記問題提供処理手段の判断結果を表示するための表示手段に表示される内容を制御するステップと、
前記問題提供処理手段が、ユーザによる選択操作に応じて、提供した前記所定の問題に対応するキーボードから入力されるべき文字が表示された画面を前記表示手段に表示するか、提供した前記所定の問題に対応するキーボードから入力されるべき文字が表示されない画面を前記表示手段に表示するか、を制御するステップと、
前記問題提供処理手段が、提供した前記所定の問題に対応するキーボードから入力されるべき文字が表示された画面が前記表示手段に表示されている際には、ユーザによるキーボード入力に応じて、当該入力に対応する文字の表示が順次消えるよう前記画面を更新して、提供した前記所定の問題に対応するキーボードから入力されるべき文字が表示されない画面が前記表示手段に表示されている際には、ユーザによるキーボード入力に応じて、当該入力に対応する文字が順次表示されるよう前記画面を更新するステップと、を含む、
ことを特徴とする問題回答によるタイピング練習方法。
【請求項９】
前記問題提供処理手段から提供される前記所定の問題を、音声によって出力する音声出力手段が、前記所定の問題を音声によって出力するステップ、をさらに含む、ことを特徴とする請求項８記載の問題回答によるタイピング練習方法。
【請求項１０】
前記所定の問題を音声によって出力するステップは、前記問題提供処理手段が、提供される前記所定の問題を、前記表示手段で表示しないように前記表示手段を制御し、且つ、前記音声出力手段から音声によって出力するように前記音声出力手段を制御するステップである、ことを特徴とする請求項９記載の問題回答によるタイピング練習方法。
【請求項１１】
さらに、前記問題提供処理手段が、前記問題提供処理手段の判断結果を提供した前記所定の問題と関連付けて履歴情報として履歴情報記憶手段に記憶させるステップ、を含むことを特徴とする請求項８乃至１０のいずれか一項に記載の問題回答によるタイピング練習方法。
【請求項１２】
キーボードのタイピング練習に使用するタイピング練習装置としてコンピュータを機能させるタイピング練習プログラムであって、
提供する問題を記憶する問題記憶手段に記憶されている問題から所定の問題を提供し、文字や数字などを入力するキーボードから入力された文字と前記所定の問題の解答を比較し、前記キーボードから入力された文字が正解かどうかを判断する問題提供処理手段、として前記コンピュータを機能させ、
前記問題提供処理手段が、提供される所定の問題及び前記問題提供処理手段の判断結果を表示するための表示手段に表示される内容を制御し、
前記問題提供処理手段が、ユーザによる選択操作に応じて、提供した前記所定の問題に対応するキーボードから入力されるべき文字が表示された画面を前記表示手段に表示するか、提供した前記所定の問題に対応するキーボードから入力されるべき文字が表示されない画面を前記表示手段に表示するか、を制御し、
前記問題提供処理手段が、提供した前記所定の問題に対応するキーボードから入力されるべき文字が表示された画面が前記表示手段に表示されている際には、ユーザによるキーボード入力に応じて、当該入力に対応する文字の表示が順次消えるよう前記画面を更新して、提供した前記所定の問題に対応するキーボードから入力されるべき文字が表示されない画面が前記表示手段に表示されている際には、ユーザによるキーボード入力に応じて、当該入力に対応する文字が順次表示されるよう前記画面を更新する、
ことを特徴とする問題回答によるタイピング練習プログラム。
【請求項１３】
前記問題提供処理手段は、選択した問題を表示すると共に、音声でも出力する、ことを特徴とする請求項１２記載の問題回答によるタイピング練習プログラム。
【請求項１４】
前記問題提供処理手段は、選択した問題を表示する替わりに、音声で出力する、ことを特徴とする請求項１２記載の問題回答によるタイピング練習プログラム。
【請求項１５】
さらに、前記判断結果を、選択した前記所定の問題と関連付けて履歴情報として履歴情報記憶手段に記憶させる手段、として前記コンピュータを機能させることを特徴とする請求項１２乃至１４のいずれか一項に記載の問題回答によるタイピング練習プログラム。
【発明の詳細な説明】
【０００１】
【発明の属する技術分野】
本発明は、コンピュータやワードプロセッサなどのキーボードのタイピング練習を行なわせるタイピング練習装置、タイピング練習方法、及びタイピング練習プログラムに関する。特には、所定の問題を出題し、その回答をタイピングさせることによって、コンピュータやワードプロセッサなどのキーボードのタイピング練習を行わせる、学習機能付きタイピング練習装置、問題回答によるタイピング練習方法、及び問題回答によるタイピング練習プログラムに関する。
【０００２】
【従来の技術】
従来から、コンピュータやワードプロセッサなどのキーボードのタイピング練習を行なわせるタイピング練習装置やタイピング練習用プログラムが提供されている。
【０００３】
例えば、特許公開平成９年第１２０３２９号公報には、表示された練習文に対して入力されたキー入力を比較して入力ミスを検出し、入力ミスが検出されたときに、正しい文字の指イメージとキーボードイメージを重ねて表示するタイピング練習装置が記載されている。
【０００４】
このタイピング練習装置によれば、表示された練習文に対して入力されたキー入力に入力ミスがあったときに、正しい文字の指イメージとキーボードイメージを重ねて表示することによって、指の正しい位置を示してタイピングの練習を行うものである。
【０００５】
一方、現在、小学校、中学校、高等学校、大学校などの入学試験、司法試験などの各種資格試験、ＴＯＥＩＣなどの英語検定試験などの試験問題が、コンピュータ読み取り可能なプログラムやデータとしてＣＤ−ＲＯＭ（Compact Disk - Read Only Memory）などに記録して販売されている。
【０００６】
【発明が解決しようとする課題】
しかしながら、従来のタイピング練習装置によれば、表示された練習文は、予め準備された英単語や日本語、またはランダムに抽出された文字であるため、タイピングの練習をしながら英語や数学などを学習するものがなかった。
【０００７】
したがって、本発明の目的は、所定の問題を出題し、その回答をタイピングさせることによって、効果的に学習とコンピュータやワードプロセッサなどのキーボードのタイピング練習を行わせる、学習機能付きタイピング練習装置、問題回答によるタイピング練習方法、及び問題回答によるタイピング練習プログラムを提供することである。
【０００８】
【課題を解決するための手段】
上記課題を解決するため、本発明の学習機能付きタイピング練習装置は、コンピュータやワードプロセッサなどのキーボードのタイピング練習に使用するタイピング練習装置であって、文字や数字などを入力するキーボードと、提供する問題を記憶する問題記憶手段と、問題記憶手段に記憶されている問題から所定の問題を提供し、キーボードから入力された文字と所定の問題の解答を比較し、キーボードから入力された文字が正解かどうかを判断する問題提供処理手段と、問題提供処理手段から提供される所定の問題及び問題提供処理手段の判断結果を表示するための表示手段と、を備えることを特徴とする。
【０００９】
さらに、問題提供処理手段から提供される所定の問題を、音声によって出力する音声出力手段を備える、ことができる。
【００１０】
また、問題提供処理手段は、提供される所定の問題を、表示手段で表示しないように表示手段を制御し、且つ、音声出力手段から音声によって出力するように音声出力手段を制御する、ことができる。
【００１１】
さらに、問題提供処理手段の判断結果を提供した所定の問題と関連付けて履歴情報として記憶する履歴情報記憶手段を備える、ことができる。
【００１２】
また、問題提供処理手段は、提供した所定の問題に対応する、キーボードから入力されるべき文字を表示するように表示手段を制御する、ようにしてもよい。
【００１３】
また、上記課題を解決するため、本発明の問題回答によるタイピング練習方法は、出題された問題に回答することによって、コンピュータやワードプロセッサなどのキーボードのタイピング練習を行うタイピング練習方法であって、（Ａ）提供する問題を記憶し、（Ｂ）記憶されている問題から所定の問題を選択し、（Ｃ）選択した問題を表示し、（Ｄ）キーボードから入力された文字信号を受け取り、（Ｅ）受け取った文字信号と選択した所定の問題の解答を比較し、（Ｆ）キーボードから入力された文字が正解かどうかを判断し、（Ｇ）判断結果を表示する、ことを特徴とする。
【００１４】
ここで、ステップ（Ｃ）は、選択した問題を表示すると共に、音声でも出力するステップである、とすることができる。
【００１５】
また、ステップ（Ｃ）は、選択した問題を表示する替わりに、音声で出力するステップとすることもできる。
【００１６】
さらに、（Ｈ）判断結果を、選択した所定の問題と関連付けて履歴情報として記憶するステップを備える、こともできる。
【００１７】
また、ステップ（Ｃ）は、選択した所定の問題に対応する、キーボードから入力されるべき文字を表示する、こともできる。
【００１８】
また、上記課題を解決するため、本発明の問題回答によるタイピング練習プログラムは、コンピュータやワードプロセッサなどの情報処理装置で実行され、出題された問題に回答することによって、コンピュータやワードプロセッサなどのキーボードのタイピング練習を行うように機能するタイピング練習プログラムであって、提供する問題を記憶する問題記憶機能と、記憶されている問題から所定の問題を選択する問題選択機能と、選択した問題を表示する問題出力機能と、キーボードから入力された文字信号を受け取る文字信号受取機能と、受け取った文字信号と選択した所定の問題の解答を比較する比較機能と、キーボードから入力された文字が正解かどうかを判断する判断機能と、判断結果を表示する結果表示機能と、を備えることを特徴とする。
【００１９】
ここで、問題出力機能は、選択した問題を表示すると共に、音声でも出力する機能である、こととすることができる。
【００２０】
また、問題出力機能は、選択した問題を表示する替わりに、音声で出力する機能である、とすることができる。
【００２１】
さらに、判断結果を、選択した所定の問題と関連付けて履歴情報として記憶する履歴情報記憶機能を備える、こともできる。
【００２２】
また、問題出力機能は、選択した所定の問題に対応する、キーボードから入力されるべき文字を表示する機能を備える、ようにしてもよい。
【００２３】
学習すべき所定の問題を出題し、その回答をタイピングさせることによって、効果的に学習とコンピュータやワードプロセッサなどのキーボードのタイピング練習を行わせる。
【００２４】
【発明の実施の形態】
以下、本発明の学習機能付きタイピング練習装置、問題回答によるタイピング練習方法、及び問題回答によるタイピング練習プログラムについて、図面を参照しつつ詳細に説明する。
【００２５】
図１は、本発明の学習機能付きタイピング練習装置の構成例を示す図である。この学習機能付きタイピング練習装置１０は、文字や数字などを入力するキーボード１９と、ポインタ表示やクリック動作によって制御信号を送出するマウス２０と、文字や画像を表示する表示部２１と、音声を出力するスピーカ２２と、キーボード１９、マウス２０、表示部２１及びスピーカ２２を制御する入出力制御部１８と、提供する問題を科目別、レベル別に記憶する問題ＤＢ（Data Base）１５と、メニュー画像、問題の提供画像、問題提供方法の設定条件などを記憶するコンテンツ情報ＤＢ１６と、問題ＤＢ１５に記憶されている問題から所定の問題を選択し、コンテンツ情報ＤＢ１６に記憶されている画像や設定条件に基づいて所定の問題を出力するように入出力制御部１８を制御し、キーボード１９から入力された文字と選択した所定の問題の解答を比較し、キーボード１９から入力された文字が正解かどうかを判断する制御部１１と、制御部１１の判断結果を、選択した所定の問題と関連付けて履歴情報として記憶する履歴ＤＢ１７と、を備えている。
【００２６】
ここで、制御部１１は、問題ＤＢ１５に問題を登録し、問題ＤＢ１５に記憶されている問題から所定の問題を選択する問題処理部１２と、コンテンツ情報ＤＢ１６にメニュー画像、問題の提供画像、問題提供方法の設定条件などを登録する設定処理部１４と、コンテンツ情報ＤＢ１６に記憶されている画像や設定条件に基づいて所定の問題を出力するように入出力制御部１８を制御し、キーボード１９から入力された文字と選択した所定の問題の解答を比較し、キーボード１９から入力された文字が正解かどうかを判断すると共に、判断結果を、選択した所定の問題と関連付けて履歴情報として履歴ＤＢ１７に登録する提供処理部１３と、を備えている。
【００２７】
ここで、設定処理部１４は、問題処理部１２で選択された所定の問題を、表示部２１の画像及びスピーカ２２からの音声によって出力するか、表示部２１の画像で表示しないようにし、且つスピーカ２２から音声によって出力するようするか、所定の問題に対応する解答（キーボード１９から入力されるべき文字）を表示するようにするかを、問題提供方法の設定条件としてコンテンツ情報ＤＢ１６に登録することができる。
【００２８】
以下、本発明の学習機能付きタイピング練習装置に適用される問題回答によるタイピング練習方法について説明する。
【００２９】
図２及び図３は、本発明の問題回答によるタイピング練習方法を示すフローチャートである。図１〜図３において、先ず、キーボード１９やマウス２０などの入力装置から入力制御部１８を介して、動作開始用の制御信号が入力されると、制御部１１の提供処理部１３は、コンテンツ情報ＤＢ１６からメニュー画像を読み出して、表示部２１に表示するように入出力制御部１８を制御する（ステップ２０１）。
【００３０】
ここで、マウス２０操作によって、メニュー画面から設定変更ボタンが選択されると（ステップ２０２）、設定処理部１４によって設定画面が表示部２１に表示される。ユーザは、この設定画面から出力形式を選択して設定を変更することができる（ステップ２０３）。
【００３１】
この設定には、
（１）表示部２１の画像上に問題を出力する（ＯＮ）／しない（ＯＦＦ）
（２）スピーカ２２から音声によって問題を出力する（ＯＮ）／しない（ＯＦＦ）
（３）問題に対応する解答（キーボード１９から入力されるべき文字）を表示部２１の画像上に表示する（ＯＮ）／しない（ＯＦＦ）
の選択をそれぞれ個別に行うことができる。
【００３２】
即ち、これらの設定条件は、独立して選択することができる。但し、条件（１）と条件（２）のうち少なくとも何れかの一方条件は「ＯＮ」でなければならない。
【００３３】
一方、メニュー画面から設定変更を選択せず（ステップ２０２）、履歴表示を選択した場合（ステップ２０４）、制御部１１の提供処理部１３は、履歴ＤＢ１７から当該ユーザの過去の履歴情報を読み出して、表示部２１に表示する（ステップ２０５）。この表示には、レベルやカテゴリ別に得点分布を表示するようにしてもよく、グラフィカルに表示することもできる。
【００３４】
次に、この履歴表示の中で弱点表示が選択されると（ステップ２０６）、今までの学習結果の履歴からユーザの弱点項目が表示される（ステップ２０７）。
【００３５】
ここで、上述したステップ２０３、ステップ２０５（ステップ２０６でＮＯの場合）、及びステップ２０７の処理が終了すると、最初のメニュー画面に戻ることになる。
【００３６】
メニュー画面から設定変更（ステップ２０２）、履歴表示（ステップ２０４）が選択されずスタートボタンが選択されるとタイピング練習が開始される（ステップ２０８）。ここで、スタートボタンが選択されず終了ボタンが選択された場合にはタイピング練習が終了する（ステップ２０８）。
【００３７】
ユーザは、入力装置（キーボード１９又はマウス２０）から問題のカテゴリやレベルなどを選択する（ステップ２０９）。ここで、以下では、具体例として、問題カテゴリを「ＴＯＥＩＣ」、レベルを「スコア４７０レベル（初級者）」と選択した場合について説明する。
【００３８】
問題処理部１２は、ステップ２０９のカテゴリ・レベル選択に基づいて、問題ＤＢ１５から問題を選択し提供処理部１３に渡す。提供処理部１３は、コンテンツ情報ＤＢ１６に記憶されている設定条件や画像情報などに基づいて、入出力制御部１８を介して、表示部２１やスピーカ２２から問題を出力（提供）する（ステップ２１０）。
【００３９】
図４〜図７は、表示部２１に表示される具体的な画面の一例を示す図である。図４〜図７において、表示部２１の画面には、問題を表示する問題表示部４２と、問題に対応する解答を表示する解答表示部４１と、ユーザの入力状態を表示するターゲット４３と、が表示されている。ここで、ターゲット４３は、ユーザの入力結果を表示する結果表示部４３ａと、ユーザの入力すべき文字を表示する入力ターゲット４３ｂとで構成されている。
【００４０】
図４は、ステップ２１０で表示された画面を示し、上述した条件（１）〜（３）が全て「ＯＮ」の場合を示す。したがって、問題を表示する問題表示部４２には「（偶然に）起こる」、問題に対応する解答を表示する解答表示部４１には「ｈａｐｐｅｎ」、ユーザの入力状態を表示するターゲット４３の入力ターゲット４３ｂには、それぞれ２文字ずつ「ｈａ」、「ｐｐ」及び「ｅｎ」と表示されている。さらに、このとき、スピーカ２２からも「ｈａｐｐｅｎ」の発音が音声で出力される。
【００４１】
ユーザは、この問題「（偶然に）起こる」の解答である「ｈ」、「ａ」、「ｐ」、「ｐ」、「ｅ」、「ｎ」のキーボード１９のキーを押し、タイピングの練習と問題の回答を行う。キーボード１９から入力された文字は、提供処理部１３で１文字ずつ判断され、正しければ図５に示すように、ユーザの入力状態を表示するターゲット４３の入力ターゲット４３ｂに、入力文字分（「ｈ」、「ａ」、「ｐ」）だけ「＊」が表示される。
【００４２】
ここで、ステップ２０３の設定処理で、「（１）表示部２１の画像上に問題を出力する（ＯＮ）」、「（２）スピーカ２２から音声によって問題を出力しない（ＯＦＦ）」、「（３）問題に対応する解答（キーボード１９から入力されるべき文字）を表示部２１の画像上に表示しない（ＯＦＦ）」が設定されている場合には、図６に示すように、ユーザの入力状態を表示するターゲット４３の入力ターゲット４３ｂに、入力文字分（３文字分）だけ「＊」が表示され、解答表示部４１には、入力分の文字（「ｈａｐ」）が表示される。
【００４３】
文字入力（タイピング練習）の途中で誤りが検出された場合（ステップ２１２）、図７に示すように、該当する文字の表示されているターゲット４３の結果表示部４３ａにエラーマーク「＊」が表示される（ステップ２１３）。この誤りの際には、提供処理部１３は、得点の減点処理を行う。以上のステップ２１１〜ステップ２１３の処理は、「ｈ」、「ａ」、「ｐ」、「ｐ」、「ｅ」、「ｎ」の全ての文字が入力されるまで繰り返される（ステップ２１４）。
【００４４】
全て正しいキー入力が行なわれて、回答が完了したら（ステップ２１４）、準備された（問題処理部１２で選択された）問題が全て終わるまで、上述のステップ２１０〜ステップ２１４の処理が繰り返される（ステップ２１５）。
【００４５】
準備された（問題処理部１２で選択された）問題が全て終わったら（ステップ２１５）、提供処理部１３は、結果（正しく回答できたかと正しくタイピングできたか）を表示する（ステップ２１６）。これは、得点形式や正答率などをグラフィカルに表示することができる。
【００４６】
ユーザは、この結果を保存する場合には（ステップ２１７）、キーボード１９やマウス２０から結果保存ボタンを選択することによって、提供処理部１３が履歴ＤＢ１７に問題と結果の情報を関連付けてユーザの履歴情報として履歴ＤＢ１７に記録（保存）する（ステップ２１８）。
【００４７】
以上、本発明の問題回答によるタイピング練習方法の形態例を示したが、これをコンピュータで実行可能なプログラムとすることができる。
【００４８】
【発明の効果】
以上述べた通り、本発明の学習機能付きタイピング練習装置、問題回答によるタイピング練習方法、及び問題回答によるタイピング練習プログラムによれば、学習すべき所定の問題を出題し、その回答をタイピングさせることとしたため、効果的に学習とコンピュータやワードプロセッサなどのキーボードのタイピング練習とを行うことができるようになった。
【図面の簡単な説明】
【図１】本発明の学習機能付きタイピング練習装置の構成例を示す図である。
【図２】本発明の問題回答によるタイピング練習方法を示すフローチャートである。
【図３】本発明の問題回答によるタイピング練習方法を示すフローチャートである。
【図４】表示される具体的な画面の一例を示す図である。
【図５】表示される具体的な画面の一例を示す図である。
【図６】表示される具体的な画面の一例を示す図である。
【図７】表示される具体的な画面の一例を示す図である。
【符号の説明】
１０  学習機能付きタイピング練習装置
１１  制御部
１２  問題処理部
１３  提供処理部
１４  設定処理部
１５  問題ＤＢ
１６  コンテンツ情報ＤＢ
１７  履歴ＤＢ
１８  入出力制御部
１９  キーボード
２０  マウス
２１  表示部
２２  スピーカ
【図１】
0004585703.tif 000002
【図２】
0004585703.tif 000003
【図３】
0004585703.tif 000004
【図４】
0004585703.tif 000005
【図５】
0004585703.tif 000006
【図６】
0004585703.tif 000007
【図７】
0004585703.tif 000008